(57)【特許請求の範囲】
【請求項１】
前面に開口部を有する貯蔵室と、
貯蔵物を収納するとともに前後にスライド自在に支持され、背面に開口を有する収納ケースと、
前記収納ケースの前記開口と離隔して前記開口の正面を覆い、前記開口から前記収納ケースに流入する冷気を遮蔽する金属板と、
前記収納ケースの上面に載置され、前記収納ケースに対して前後にスライド自在に配される小物ケースとを備え、
前記収納ケースの背面の上端と前記小物ケースの底面との間に上下方向の第１の隙間が形成され、
前記小物ケースは、前記小物ケースから下方に突出して前記第１の隙間の背面側を覆うリブを有し、
前記収納ケースの背面と前記リブとの間に前後方向の第２の隙間が形成されていることを特徴とする冷蔵庫。
【請求項２】
前記リブに設けられ、前記第２の隙間を塞ぐパッキンを備えることを特徴とする請求項１に記載の冷蔵庫。
【発明の詳細な説明】
【技術分野】
【０００１】
本発明は、貯蔵物を収納する収納ケースを有し、収納ケース上にスライド自在の小物ケースを配した冷蔵庫に関する。
【背景技術】
【０００２】
従来の冷蔵庫は特許文献１に開示される。この冷蔵庫は上段より冷蔵室、冷凍室、野菜室が順に配置され、引き出し式の収納ケースが野菜室の内部に設けられている。収納ケース内に貯蔵物として野菜などを収納する。収納ケースの後方には小物ケースが配されている。小物ケースを後方へスライドさせて収納ケース内の上面を開いた状態から貯蔵物を取得する構成としている。
【先行技術文献】
【特許文献】
【０００３】
【特許文献１】特開平１１−９４４５６号公報（第２頁−第３頁、第２図）
【発明の概要】
【発明が解決しようとする課題】
【０００４】
近年、野菜の乾燥を防止するために収納ケース内の隙間を閉塞して密閉されることが望まれる。しかしながら、収納ケースを密閉度が高くなると、野菜等の貯蔵物から放出される水分によって収納ケースの壁面に結露が生じることがある。この時、結露水が貯蔵物に付着すると貯蔵物が劣化するという問題があった。
【０００５】
本発明は、結露水の発生を抑制するとともに収納ケース内の貯蔵物の乾燥を抑えて貯蔵物の鮮度を保つことができる冷蔵庫を提供することを目的とする。
【課題を解決するための手段】
【０００６】
上記目的を達成するために本発明は、前面に開口部を有する貯蔵室と、貯蔵物を収納するとともに前後にスライド自在に支持され、背面に開口を有する収納ケースと、前記収納ケースの前記開口と離隔して前記開口の正面を覆い、前記開口から前記収納ケースに流入する冷気を遮蔽する金属板と、前記収納ケースの上面に載置され、前記収納ケースに対して前後にスライド自在に配される小物ケースとを備え、前記収納ケースの背面の上端と前記小物ケースの底面との間に上下方向の第１の隙間が形成され、前記小物ケースは、前記小物ケースから下方に突出して前記第１の隙間の背面側を覆うリブを有し、前記収納ケースの背面と前記リブとの間に前後方向の第２の隙間が形成されていることを特徴とする。
【発明の効果】
【００１３】
本発明によると、収納ケース内の結露を防止するとともに収納ケース内の貯蔵物の乾燥を抑制することができる。
【図面の簡単な説明】
【００１４】
【図１】本発明の実施形態の冷蔵庫を示す側面断面図
【図２】本発明の実施形態の収納ケースを示す平面図
【図３】本発明の実施形態の収納ケースを示す斜視図
【図４】本発明の実施形態の収納ケースを示す側面断面図
【発明を実施するための形態】
【００１５】
以下に本発明の実施形態を図面を参照して説明する。図１は本実施形態の冷蔵庫を示す側面断面図である。冷蔵庫１は本体部を形成する断熱箱体２を備え、断熱箱体２には上方から順に冷蔵室３、冷凍室４、野菜室５が設けられる。冷蔵室３と冷凍室４とは断熱壁６によって仕切られ、冷凍室４と野菜室５とは断熱壁７によって仕切られる。
【００１６】
冷蔵室３は貯蔵物を冷蔵保存し、前面の開口部３ａは回動式の扉３ｂにより開閉される。冷凍室４は貯蔵物を冷凍保存し、前面の開口部４ａは収納ケース８と一体に形成された引き出し式の扉４ｂにより開閉される。冷凍室４の側壁及び収納ケース８の側壁の外面には前後に延びて互いに摺動する案内部（不図示）が設けられる。案内部によって収納ケース８が扉４ｂとともに前後に円滑に出し入れされる。
【００１７】
野菜室５は貯蔵物を冷蔵室３よりも高温の冷蔵温度で冷蔵保存し、野菜や果物などを収納する。野菜室５の前面の開口部５ａは収納ケース１０と一体に形成された引き出し式の扉５ｂにより開閉される。野菜室５の側壁及び収納ケース１０の側壁の外側には前後に延びて互いに摺動する案内部（不図示）が設けられる。案内部によって収納ケース１０が扉５ｂとともに前後に円滑に出し入れされる。
【００１８】
野菜室５の後方には圧縮機４１が配される。圧縮機４１には凝縮器、膨張器及び冷却器（いずれも不図示）が順に接続され、圧縮機４１の駆動によりイソブタン等の冷媒が循環して冷凍サイクルが構成される。
【００１９】
図２、図３、図４は収納ケース１０の平面図、斜視図及び側面断面図を示す。尚、図３は小物ケース１１を取り外した状態を示している。収納ケース１０は上面を開口した樹脂成型品から成り、断熱材を充填した扉５ｂ（図１参照）の背面に取り付けられる。収納ケース１０の上面には果物等の小物の貯蔵物を収納する小物ケース１１が載置される。小物ケース１１は樹脂形成品から成り、収納ケース１０に対して前後にスライド自在に配される。これにより、収納ケース１０の上面が開閉される。
【００２０】
小物ケース１１の前端には収納ケース１０との間に配される可撓性のパッキン４０が設けられる。パッキン４０はシリコンゴム、ニトリルゴム、エチレンプロピレンゴム、クロロプレインゴムのいずれか一つまたは複数の併用によって形成することができる。パッキン４０は収納ケース１０の前端に設けてもよい。これにより、収納ケース１０の上面を閉じた際に前端で収納ケース１０と小物ケース１１との間を密閉することができる。また、パッキン４０は小物ケース１１の後端に設けて収納ケース１０と小物ケース１１との間を密閉してもよい。
【００２１】
収納ケース１０の前部右側には上面を開口した収納ボックス１６が配される。小物ケース１１の前部には収納ボックス１６が嵌挿される切欠部１５が形成され、パッキン４０によって小物ケース１１と収納ボックス１６との間が密閉される。収納ボックス１６内には内容量が２Ｌのペットボトル等の背の高い貯蔵物が収納される。
【００２２】
収納ケース１０の後端と小物ケース１１との間には上下方向の微小な隙間Ｓ１が形成される。隙間Ｓ１を設けることで、収納ケース１０と小物ケース１１との前後方向にスライドする際の摺動抵抗を低減することができる。
【００２３】
小物ケース１１の後端には隙間Ｓ１に対向して下方に突出するリブ１１ｂが設けられる。隙間Ｓ１の正面をリブ１１ｂが覆うので、冷気が収納ケース内１０へ流入され難い構成となっている。この時、収納ケース１０の背面とリブ１１ｂとの間には前後方向の隙間Ｓ２が形成される。隙間Ｓ２を設けることで、確実に小物ケース１１によって収納ケース１０の前端を密閉することができる。
【００２４】
収納ケース１０にはＬ字状の仕切板３０が収納ケース１０の背面と間隔ｄ、例えば３ｍｍ〜５ｍｍ離隔して設けられる。仕切板３０の前端３０ａは収納ボックス１６の近傍まで前方向に伸び、上端３０ｂは小物ケース１１の近傍まで上方へ伸びる。仕切板３０は着脱可能でありアルミニウムなどの金属からなる。これにより、収納ケース１０の清掃の際の利便性を向上するとともに、貯蔵物を効率よく冷却することができる。
【００２５】
収納ケース１０の背面には左右方向に並設された調整口３５が複数設けられる。このため仕切板３０は調整口３５と間隔ｄだけ離隔されるとともに、全ての調整口３５の正面を覆うように配される。調整口３５の面積は５ｍｍ〜１０ｍｍ程度に設けられている。尚、野菜室５に冷気を吐出する吐出口３６が収納ケース１０の後方に設けられる。
【００２６】
上記構成の冷蔵庫１において、冷却器との熱交換により生成される冷気は冷蔵室３及び冷凍室４に吐出され、冷蔵室３及び冷凍室４を冷却する。冷凍室４を流通した冷気は冷却器に戻る。冷蔵室３を流通した冷気は野菜室５に導かれ、吐出口３６から野菜室５内に吐出される。
【００２７】
収納ケース１０内は前部が密閉されるため、収納ケース１０の圧力によって調整口３５から冷気が流入しにくくなっている。この時、調整口３５から収納ケース１０内に冷気が流入しても仕切板３０により遮蔽され、隙間Ｓ１、Ｓ２を介して流出する。これにより、仕切板３０よりも前方への冷気の流通が抑制され、貯蔵物の乾燥が抑制される。
【００２８】
また、収納ケース１０内の貯蔵物から放出される水分によって収納ケース１０内の圧力が上昇すると、調整口３５から冷気が流出する。これにより、収納ケース１０内の結露を防止することができる。この時、調整口３５から流出した冷気は収納ケース１０の後方に配した吐出口３６から排出された冷気と合流して収納ケース１０の周囲を流通する。これにより、水分を多く含む冷気が調整口３５から収納ケース１０内に再流入することを抑制できる。
【００２９】
本実施形態によると、収納ケース１０の前端部が小物ケース１１により密封され、後端部に開口する調整口３５の正面が仕切板３０により覆われるので、野菜室５から放出される水分により収納ケース１０内の圧力が上昇すると調整口３５から冷気が流出する。これにより、収納ケース１０内の結露を防止することができる。また、調整口３５から流入する冷気が仕切板３０により遮られるので、貯蔵物の乾燥を抑制することができる。
【００３０】
また、小物ケース１１の前端と収納ケース１０との間に配されるパッキン４０を備え、調整口３５が収納ケース１０の背面に開口するため、収納ケース１０内の密閉度をより高くすることができる。
【００３１】
また、野菜室５に冷気を吐出する吐出口３６が収納ケース１０の後方に設けられるため、調整口３５から出た水分を多く含む冷気が収納ケース１０内に再流入することを抑制することができる。
【００３２】
また、小物ケース１１の前部に設けた切欠部１５を収納ボックス１６へ嵌挿するので、収納ケース１０内の密閉度を低下させずに収納ケース１０内の利便性を向上することができる。
【００３３】
また、仕切板３０がアルミニウムなどの金属から成るため、貯蔵物をより効率よく冷却することができる。
【００３４】
本実施形態において、パッキン４０に加えてリブ１１ｂにパッキンを設けて隙間Ｓ２を塞いでもよい。しかしながら、冷蔵庫１の組立精度によってリブ１１ｂのパッキンが収納ケース１０の背面に当接した際にパッキン４０と収納ケース１０の前端との間に隙間が形成される場合がある。これにより、背面の調整口３５から収納ケース１０内に流入した冷気が収納ケース１０内を前方の隙間に向かって流通すると貯蔵物の乾燥が促進される。
【００３５】
このため、収納ケース１０の前後のいずれか一方にパッキンを配置するとより望ましい。この時、リブ１１ｂにパッキンを設けた場合は収納ケース１０の前面に調整口３５を設けることにより、収納ケース１０内の冷気の流通を抑制することができる。
以下に、他の実施形態の冷蔵庫を付記する。
前面に開口部を有する貯蔵室と、貯蔵物を収納するとともに前後にスライド自在に支持される収納ケースと、前記収納ケースの上面を前後にスライドして開閉するとともに閉じた際に前後の少なくとも一方の端部で前記収納ケースとの間を密閉する小物ケースと、前記収納ケースの他方の端部に開口する調整口と、前記収納ケースに配されるとともに前記調整口と所定の間隔を設けて前記調整口の正面を覆う仕切板と、を設けたことを特徴とする。
この構成によると、貯蔵物を収納した収納ケースは前後にスライドに移動し、小物ケースは収納ケースの上面を前後にスライドして開閉する。小物ケースを閉じると、収納ケースの前端及び後端の少なくとも一方が小物ケースにより密閉される。貯蔵物から放出される水分によって収納ケース内の圧力が上昇すると、収納ケース内の冷気が調整口を介して流出する。また、調整口から収納ケース内に流入した冷気は仕切板によって遮蔽される。
また、前記小物ケースの前端と前記収納ケースとの間に配されるパッキンを備え、前記調整口が前記収納ケースの背面に開口することを特徴とする。
また、前記貯蔵室に冷気を吐出する吐出口が前記収納ケースの後方に設けられることを特徴とする。
また、前記小物ケースの前部に切欠部を備え、前記切欠部に嵌挿して前記収納ケース上に設置される収納ボックスを設けたことを特徴とする。
また、前記仕切板は金属から成ることを特徴とする。
また、前記貯蔵室が野菜室から成ることを特徴とする。
【産業上の利用可能性】
【００３６】
本発明によると、スライド移動する収納ケースを備えた冷蔵庫に利用することができる。
【符号の説明】
【００３７】
１    冷蔵庫
３    冷蔵室
４    冷凍室
５    野菜室（貯蔵室）
８    収納ケース（冷凍室）
１０  収納ケース
１１  小物ケース
１５    切欠部
１６    収納ボックス
３０    仕切板
３５    調整口
３６    吐出口
４０    パッキン
Ｓ１    隙間
Ｓ２    隙間
【図１】
0005898806.tif 000002
【図２】
0005898806.tif 000003
【図３】
0005898806.tif 000004
【図４】
0005898806.tif 000005